(57)【特許請求の範囲】
【請求項１】
台車に載置されたケース内を左右に二つに区切って収納室を並列に設け、その並列に設けた各収納室の内部を断熱壁で左右に仕切って冷蔵室と温蔵室とを設け、その各収納室の冷蔵室と温蔵室に連通する開口をケースに設けて、そのケースに設けた開口に前記冷蔵室と温蔵室を仕切る断熱壁から左右に開くドアを設けた冷・温配膳車において、
上記各収納室の冷蔵室と温蔵室とを仕切る断熱壁から左右に開くドアに代えて、前記ドアをドアの対する側部に連結部材が設けられ、ドアの内面同士が接する方向に折り畳み自在に連結された二枚のドアとし、
前記連結されたドアの一方の端部の上部と下部に回動軸あるいは軸受部を設け、その回動軸あるいは軸受部と係合する軸受部あるいは回動軸をケース上部の天板とケース下部の台車を延長した両角に設けて回動自在に支持するとともに、
その支持されたドアの連結された他方の端部の上部と下部の一方あるいは両方にガイド部材を設けてそのガイド部材を案内するレール部材を前記ドアの取り付けられる開口に沿って設け、かつ、そのガイド部材とドアを開けた際に係合し、ガイド部材を保持する保持部材を前記ドアあるいはケースの回動軸に設けて前記ドアを折り畳んだ際に、折り畳んだドアが２７０度まで開いてケースの側部に沿うようにした冷・温配膳車。
【請求項２】
上記冷蔵室と温蔵室とが異なった幅寸法を有し、上記冷蔵室と温蔵室とを開閉する二枚のドアが異なった幅寸法を有するものとし、上記ガイド部材が慴動自在のアームを備えていることを特徴とする請求項１に記載の冷・温配膳車。
【発明の詳細な説明】
【０００１】
【発明の属する技術分野】
この発明は、給食を行う施設例えば、病院などにおいて給食を患者のもとへ運搬する際に用いられる冷・温配膳車に関するものである。
【０００２】
【従来の技術】
給食を行う施設、例えば病院などの施設においては、配膳車を用いて給食を病室の患者一人一人のもとへ運んでいる。
【０００３】
配膳車は台車に棚を設け、その棚に複数のトレーを載せられるようにしたものが多く用いられているが、近年、医療環境の質的向上を図るため、病院給食においても、患者のもとへ届けられる給食を温かいものは温かく、冷たいものは冷たさを保ったまま運べるようにした冷・温配膳車が用いられるようになっている。
【０００４】
この冷・温配膳車は例えば図１５に示すように、台車１上に設けたケース２に収納室３を並列に設け、その並列に設けた各収納室３を図１６に示すように、断熱壁４で仕切って冷蔵室５と温蔵室６とを左右に設けたものである。また、その冷蔵室５と温蔵室６とを左右に仕切る断熱壁４には、上下方向に開閉自在のシャッターＳ付きのスリット７を複数設けて、そのスリット７に給食用のトレー８を嵌入できるようにしてある。
【０００５】
そして、前記給食のうち冷蔵する料理をトレー８の冷蔵室５側に盛りつけ、温蔵する料理を温蔵室６側に盛りつけることにより、温かい料理は温かく、冷たい料理は冷たさを保ったまま運搬できるようにしている。
【０００６】
また、この冷・温配膳車では、このように上下方向に配置されたトレー８の取り出しと収納とを行うため、図１５に示すように、冷蔵室５と温蔵室６とに連通する開口を開閉するドア１０を、前記冷蔵室５と温蔵室６とを仕切る断熱壁４から左右に開くようにして１枚のドアの大きさを小さくし、ドア１０を開閉するために要するスペースを少なくして狭い場所でもトレー８の出し入れができるようにしてある。
【０００７】
【発明が解決しようとする課題】
しかしながら、上記の冷・温配膳車では図１５に示すように、冷蔵室５と温蔵室６とからなる収納室３を並列に設けたため、両収納室３のドアを同時に開けると、隣合う内側のドア同士がぶつかり、干渉しあって９０度しか開けることができない。そのため、ドア１０が邪魔をしてトレー８の出し入れに不便であるという問題がある。
【０００８】
また、このとき、各収納室３のドア１０を左右に両開きとしたことにより、ドア１０の開閉操作は左右個別に行わなければならず、作業性に劣るという問題もある。
【０００９】
そこで、この発明の課題は、ドアを大きく開いてトレーの出し入れが容易に行なえ、しかも、そのドアの開閉が場所を取らずにワンタッチで行える冷・温配膳車を提供することである。
【００１０】
【課題を解決するための手段】
上記の課題を解決するため、この発明の請求項１に係る発明では、台車に載置されたケース内を左右に二つに区切って収納室を並列に設け、その並列に設けた各収納室の内部を断熱壁で左右に仕切って冷蔵室と温蔵室とを設け、その各収納室の冷蔵室と温蔵室に連通する開口をケースに設けて、そのケースに設けた開口に前記冷蔵室と温蔵室を仕切る断熱壁から左右に開くドアを設けた冷・温配膳車において、上記各収納室の冷蔵室と温蔵室とを仕切る断熱壁から左右に開くドアに代えて、前記ドアをドアの対する側部に連結部材が設けられ、ドアの内面同士が接する方向に折り畳み自在に連結された二枚のドアとし、前記連結されたドアの一方の端部の上部と下部に回動軸あるいは軸受部を設け、その回動軸あるいは軸受部と係合する軸受部あるいは回動軸をケース上部の天板とケース下部の台車を延長した両角に設けて回動自在に支持するとともに、その支持されたドアの連結された他方の端部の上部と下部の一方あるいは両方にガイド部材を設けてそのガイド部材を案内するレール部材を前記ドアの取り付けられる開口に沿って設け、かつ、そのガイド部材とドアを開けた際に係合し、ガイド部材を保持する保持部材を前記ドアあるいはケースの回動軸に設けて前記ドアを折り畳んだ際に、折り畳んだドアが２７０度まで開いてケースの側部に沿うようにした構成を採用したのである。
【００１１】
また、このとき、請求項２の発明では、上記冷蔵室と温蔵室とが異なった幅寸法を有し、上記冷蔵室と温蔵室とを開閉する二枚のドアが異なった幅寸法を有するものとし、上記ガイド部材が慴動自在のアームを備えている構成を採用したのである。
【００１２】
【発明の実施の形態】
以下、この発明の実施の形態を図面に基づいて説明することにする。
【００１３】
なお、その際、従来例で説明した部分については図面に同一符号を付して詳しい説明は省略することにする。
【００１４】
図１に第１実施形態としてこの発明の請求項１に係る冷・温配膳車の一実施形態を示す。
【００１５】
図１に示すように、この形態の配膳車は、図では一方しか見えないが、箱型のケース２の前後に開口９が設けられ、その開口９と連通するケース２内に、収納室３が二つ並列に形成されている。
【００１６】
各収納室３は断熱壁４で分離され、各収納室３ごとにドア１０Ａ，１０Ｂが設けられている。
【００１７】
また、各収納室３は、従来例で述べたように冷蔵室５と温蔵室６とからなり、本形態の場合、冷蔵室５と温蔵室６とは各収納室３を左右に断熱壁４で仕切ることにより、同寸法に形成されている。
【００１８】
また、前記各収納室３の冷蔵室５と温蔵室６とを仕切る断熱壁４には、シャッター付きのスリット７が上下方に所定の間隔を置いて設けられ、その所定の間隔を置いて設けられたスリット７に対応させて、受け１１を冷蔵室５と温蔵室６の壁面に設けることにより、スリット７に嵌入されたトレー８を支持できるようになっている。
【００１９】
一方、各収納室３ごとのドア１０Ａ，１０Ｂは、図２に示すように温蔵室６を開閉するための第１のドア１０Ａと、冷蔵室５を開閉するための第２のドア１０Ｂで、各ドア１０Ａ，１０Ｂはアルミフレームに透明ポリカーボネート樹脂を取り付け、一体化することで耐久性と軽量化を両立させると共に、前記フレームの内側の周囲に沿ってドアパッキンを取り付け、気密性の保持が図れるようになっている。
【００２０】
また、このように、ドアパッキンの取り付けられた第１のドア１０Ａと第２のドア１０Ｂとは、両ドア１０Ａ，１０Ｂの対するドア内側の側部に蝶番１２が連結部材として取り付けられ、ドア１０Ａ，１０Ｂの内面同士が接する方向に折り畳み自在に連結されている。
【００２１】
そして、連結されたドア１０Ａ，１０Ｂの一方１０Ａの端部の上部と下部に、ケース２側部に設けた軸受け部と係合し、回動自在に支持される回動軸を設けるとともに、そのドアの他方の端部にガイド部材を設けることにより、ドア１０Ａ，１０Ｂを開閉する際に折り畳めるようになっている。
【００２２】
すなわち、図３に示すように、第１のドア１０Ａの側部の上端と下端に、回動軸としてヒンジ軸１４を設け、このヒンジ軸１４の突起が嵌入される嵌入孔１３を軸受け部として、ケース２の開口上方に突出させた天板１６部分と、下方に設けた取り付け台１７（図２参照）とに設け、前記嵌入孔１３にヒンジ軸１４を嵌入して回動自在に支持させるようになっており、ドア１０Ａ，１０Ｂは、ケース２沿って１８０度両開きに開くことができるようになっている。
【００２３】
また、第２のドア１０Ｂの上端と下端には図２に示すように、ガイド部材としてガイドローラー１５を設け、そのガイドローラー１５と係合する断面Ｃ型のガイドレール１８を開口９の上下に設けてある。
【００２４】
前記ガイドレール１８は直線状のもので、図２に示すように、開口９の中央付近からケース２端に至り、そのケース２端のガイドレール１８の途切れた先に前記軸受け部の嵌入孔１３が位置するようにしてある。
【００２５】
そして、前記第１のドア１０Ａの上下端のヒンジ軸１４に、保持金具２０を介して軸受け部の嵌入孔１３に嵌入することにより、保持金具２０がドアを開く際にガイドローラー１５と係合し、ガイドローラー１５を保持するようになっている。
【００２６】
すなわち、保持金具２０は、図３乃至図５に示すようにローラー板２１とフック板金２２の二枚の金具板に、トーションスプリング２３をストッパー２４に係合させて上記ヒンジ軸１４に取り付けたもので、図３及び図５に示すように、矢印方向に付勢する構造となっている。
【００２７】
また、ローラー板２１は、一側辺に開口２８を設け、その開口２８の端をテーパ状に形成し、上記ガイドローラ１５が嵌まりやすいように形成してある。
【００２８】
フック板金２２は、フック状のラッチ部２５とそのラッチ部２５と隣り合う辺の端部を下向きに折り曲げて形成した当接部２６とを有し、その当接部２６がドア１０Ａ，１０Ｂを回転させた際に第１のドア１０Ａの端部と当接するようになっている。
【００２９】
また、フック板金２２は、その幅をローラー板２１に比べて小さくし、かつ、図５に示すように、ラッチ部外周の一側２７を斜めに形成することにより、その斜めに形成したラッチ部外周の一側２７が図に示すようにケース２に設けたストッパ２４’に当接するようにしてある。
【００３０】
そして、こうすることにより、フック板金２２のフックの先端がローラー板２１の開口２８よりもケース２側になるように位置させて、ローラー板２１よりもフック板金２２がトーションスプリング２３の付勢によりケース２側に回転するようにし、フック板金２２に邪魔されずにガイドローラー１５がローラー板２１の開口２８に嵌まるように構成してある。
【００３１】
なお、ここで、図中符号３０は取っ手である。
【００３２】
この実施形態は以上のように構成され、この冷・温配膳車では例えば、図６の実線に示すように、閉じられた第１と第２のドア１０Ａ，１０Ｂを開ける際には、第１のドア１０Ａの取っ手３０を一点鎖線のように手前に引くと、第２ドア１０Ｂの端は矢印方向に動き、第１と第２のドア１０Ａ，１０Ｂとが蝶番１２で折れ曲がり、ガイドローラー１５がガイドレール１８に沿って移動し、第１のドアと第２のドア１０Ａ，１０Ｂとが図６の二点鎖線に示すように折り畳まれる。
【００３３】
このとき、第１のドア１０Ａは図７に示すように回動し、ガイドローラー１５が、ガイドレール１８端までくると、図８に示すように、ヒンジ軸１４に設けられた保持金具２０のローラー板２１の開口２８に嵌まり、折り畳まれた第１と第２のドア１０Ａ，１０Ｂを回転させると、第１のドア１０Ａがフック板金２２の当接部２６を押し、トーションスプリング２３の付勢に抗してフック板金２２を回転させる。このため、回転したフック板金２２のフックの先端は開口２８内に嵌入したガイドローラー１５と係合し、フック板金２２とローラー板２１とで図９に示すようにガイドローラー１５を保持し、図１０に示すように折り畳まれた第１と第２のドア１０Ａ，１０Ｂはその状態を維持する。
【００３４】
このように、折り畳まれた第１と第２のドア１０Ａ，１０Ｂをケース２と平行に１８０度まで回転させても折り畳まれた状態が維持されるので、図１に示すように、並列に設けたドア１０Ａ，１０Ｂを両開きにして収納室３の入出口を大きく開けることができ、トレー８の出し入れがスムースに行える。
【００３５】
また、このとき、開けられたドア１０Ａ，１０Ｂは折り畳まれてケース２と平行になるので、場所を取ることはない。
【００３６】
一方、このように、１８０度に両開きに開けたドア１０を閉める際には、ドア１０を開いた場合と逆方向に回転させて、１８０度に開いたドア１０を９０度より内側になるまで回転させると、フック板金２２の当接部２６に対する第１のドア１０Ａの押圧が解除され、フック板金２２はトーションスプリング２３の付勢により、ケース２側へ回転し、フック板金２２のフック先端とガイドローラー１５との係合が解除されて、折り畳まれた第２のドア１０Ｂを開くことができるようになる。
【００３７】
このとき、ガイドレール１５の端は、ヒンジ軸１４に達するように設けられており、そのため、折り畳まれた第２のドア１０Ｂを広げると、ガイドローラー１５はガイドレール１８に嵌まり、ガイドレール１８に沿ってスライドすることができるので、第１と第２のドア１０Ａ，１０Ｂを閉じることができる。
【００３８】
このように、この形態では第１と第２のドア１０Ａ，１０Ｂを開ける際には、スライドさせて折り畳み、折り畳んだ第１と第２のドア１０Ａ，１０Ｂを回転させて１８０度に開くことができる。また、閉じる際には、１８０度に開いたドアを逆向きに９０度まで回転させたのち、折り畳まれたドアをスライドさせて延ばせばよいので、その操作も連続動作として簡単に行える。
【００３９】
なお、この形態では、ドア１０Ａ，１０Ｂを１８０度に開くものについて述べたが、これに限定されるものではなく、例えば図１及び図２の破線で示したように、ケース２の天板１６と取り付け台１７を延長し、その延長した天板１６と取り付け台１７とに軸受け部１３を設けるようにすれば、ドア１０Ａ，１０Ｂを２７０度まで開くことが可能である。そのため、このようにすると、開いたドア１０Ａ，１０Ｂをケース２の側部に沿わすことができるので、ドア１０Ａ，１０Ｂを前述のものより邪魔にならないようにできる。
【００４０】
図１１及び図１２に第２実施形態としてこの発明の請求項２に係る冷・温配膳車を示す。
【００４１】
この形態の冷・温配膳車は、第１実施形態で述べた冷・温配膳車の冷蔵室５を小さくし、温蔵室６の幅寸法を大きく取ることにより、温かいものを多く保温することができるようにしたものであって、各ドア１０のフレームは、冷蔵室５及び温蔵室６と対応する寸法に形成されており、冷蔵室５と温蔵室６のドア１０Ａと１０Ｂとは異なった幅寸法のものとなっている。
【００４２】
そのため、第２のドア１０Ｂの上端と下端には、ガイド部材として第２のドア１０Ｂの上側と下側に沿って溝３１を設け、その溝３１にガイドローラー１５を先端に取り付けたアーム３２が慴動自在に嵌入されている。
【００４３】
すなわち、前記ガイドローラー１５は、第１実施形態と同様に、ケース２の開口９の上方の天板１６の突出部分と下方に設けた取り付け台１７とに、それぞれ設けられたガイドレール１８に嵌入されるようになっており、前記ドア１０Ｂを折り畳むとアーム３２が伸縮し、ガイドローラー１５がガイドレール１８に沿ってスライドできるようになっている。
【００４４】
他の構成、例えば、前記各収納室３の両ドア１０Ａ，１０Ｂは第１実施形態と同じように、蝶番１２でもって連結され、その連結された第１のドア１０Ａの上端と下端にヒンジ軸１４が設けられていることや、そのヒンジ軸１４がローラー板２１とフック板金２２からなる保持金具２０を介してケース２の嵌入孔１３からなる軸受け部に嵌入され、回動自在に支持されていること及び、前記保持金具２０がローラー板２１とフック板金２２からなることについては、第１実施形態と同じであるので、その詳しい説明は省略する。そのため、以下に説明する作用の説明もガイドローラー１５を中心と述べることにする。
【００４５】
この実施形態は以上のように構成され、この冷・温配膳車では、第１と第２のドア１０Ａ，１０Ｂが閉じている場合は、図１３の実線に示すようにアーム３２は第２ドア１０Ｂの溝３１内に納まっている。いま、ドア１０Ａ，１０Ｂを開けるために第１のドア１０Ａの取っ手３０を手前に引き第２ドア１０Ｂの端を矢印に示すように動かして折り畳むと、第１と第２のドア１０Ａ，１０Ｂの幅寸法が異なることから、その寸法の異なる分だけアーム３２が伸び、図１４に示すようにガイドレール１８との係合を保ちながらドア１０Ａ，１０Ｂが折り畳まれる。
【００４６】
そのため、ガイドローラー１５は、第１実施形態と同じようにローラー板２１とフック板金２２からなる保持金具２０によって保持され、ドア１０Ａ，１０Ｂをケース２と平行に、１８０度までに開くことができる。
【００４７】
一方、開いたドア１０Ａ，１０Ｂを閉じる際には、ドア１０Ａ，１０Ｂをケース２に対して９０度より内側になるまで逆方向に回転させると、第１実施例と同様に、フック板金２２の当接部２６に対する第１のドア１０Ａの押圧がなくなり、フック板金２２の係合が解除されてガイドローラー１５がガイドレール１８に嵌まりガイドレール１８に沿ってスライドし、折り畳まれた第２のドア１０Ｂを広げることができるようになり、ガイドレール１８との係合を保ってドア１０Ａ，１０Ｂをスムースに閉じることができる。
【００４８】
このように、異なったドア寸法のものでもアーム３２を設けることにより、ドア１０Ａ，１０Ｂを大きく開けられるようにできる。このため、第１実施形態で述べたのと同様に、トレー８の出し入れがスムースに行なえ、開閉の際の場所も取らずにワンタッチで開閉も行なえる。
【００４９】
なお、図では示していないが、第２実施形態においても、第１実施形態で述べたのと同じように、例えば天板１６と取り付け台１７とを延長すれば、ドア１０Ａ，１０Ｂを２７０度まで開くことができるようにできる。
【００５０】
また、上記実施形態では、ガイド部材にガイドローラーを用いたものを示したが、これに限定されるものではなく、ガイドローラーに代えて、例えばガイドピンなどを設けてもよい。
【００５１】
また、実施形態では、回動軸にヒンジ軸を用いたがこれ以外に、蝶番を用いてもよい、同じように連結部材には、ヒンジを用いてもよい。
【００５２】
なお、これらの実施形態では、ケース側部に軸受部を設け、ドアに回動軸を設けたものについて述べたが、これに限定されるものではなく、ケース側部に回動軸を設け、ドアに軸受を設けるようにしてもよい。その際、保持部材は、ケースの回動軸に設ければよく、他の構成及び作用効果は、上述の実施形態と同じであるので、その説明は省略することにする。
【００５３】
【発明の効果】
この発明の請求項１に係る発明は、以上のように構成し、冷蔵室と温蔵室とを開閉する二枚のドアを折り畳んで開閉できるようにしたため、冷蔵室と温蔵室とに連通する開口を大きく開けてトレーの収納と取り出しとが容易にできる冷・温配膳車を提供できる。
【００５４】
また、その際、ドアをケースと平行に１８０度以上に開けることができるようにしたのでドアを開閉にした際、ケースに沿わせて場所を取らなくでき、しかも、開閉はドアをスライドさせて折り畳むだけのため、ワンタッチで簡単に開閉できる。
【００５５】
請求項２に係る発明では、冷蔵室と温蔵室との大きさが異なるものにおいて上記効果を有する冷・温配膳車を提供することができる。
【図面の簡単な説明】
【図１】第１実施形態の斜視図
【図２】第１実施形態の一部正面図
【図３】第１実施形態の要部分解斜視図
【図４】第１実施形態の要部正面図
【図５】第１実施形態の作用を説明するための作用説明図
【図６】第１実施形態の作用を説明するための作用説明図
【図７】第１実施形態の作用を説明するための作用説明図
【図８】第１実施形態の作用を説明するための作用説明図
【図９】第１実施形態の作用を説明するための作用説明図
【図１０】第１実施形態の作用を説明するための作用説明図
【図１１】第２実施形態の斜視図
【図１２】第２実施形態の一部正面図
【図１３】第２実施形態の作用を説明するための作用説明図
【図１４】第２実施形態の作用を説明するための作用説明図
【図１５】従来例の斜視図
【図１６】従来例の要部を示す斜視図
【符号の説明】
２  ケース
３  収納室
４  断熱壁
５  冷蔵室
６  温蔵室度
９  開口
１０  ドア
１０Ａ  第１のドア
１０Ｂ  第２のドア
１２  蝶番
１３  嵌入孔
１４  ヒンジ軸
１５  ガイドローラー
１８  ガイドレール
２０  保持金具
２１  ローラー板
２２  フック板金
３１  溝
３２  アーム
【図１】
0003658675.tif 000002
【図２】
0003658675.tif 000003
【図３】
0003658675.tif 000004
【図４】
0003658675.tif 000005
【図５】
0003658675.tif 000006
【図６】
0003658675.tif 000007
【図７】
0003658675.tif 000008
【図８】
0003658675.tif 000009
【図９】
0003658675.tif 000010
【図１０】
0003658675.tif 000011
【図１１】
0003658675.tif 000012
【図１２】
0003658675.tif 000013
【図１３】
0003658675.tif 000014
【図１４】
0003658675.tif 000015
【図１５】
0003658675.tif 000016
【図１６】
0003658675.tif 000017